(57)【要約】【課題】本発明はメインコンデンサへの衝撃が緩和できると共に、はんだ付け時に回路基板を反転してもメインコンデンサが脱落することがないコンデンサ保持機構を備えたカメラを実現する。【解決手段】充電用のメインコンデンサ３の外周の一部を覆うトレー部７に、メインコンデンサ３をトレー部との間に抱えた状態に弾性的に保持する弾性保持部９を一体的に形成したコンデンサ保持機構６を用いて回路基板１にメインコンデンサ３を接続する。【選択図】　　　　図１
2004053634.tif 000002
【特許請求の範囲】
【請求項１】
所定のメインコンデンサに電力を蓄積し、該メインコンデンサに蓄積した電力を放出することにより被写体に向けて閃光を発する閃光発光装置を備えた、被写体の撮影を行うカメラにおいて、
前記閃光発光装置は、回路基板に前記メインコンデンサを接続するためのコンデンサ保持機構を備え、前記コンデンサ保持機構は、前記メインコンデンサの外周の一部を覆う前部開放のトレー部と、該トレー部に一体的に形成されて前方に延び、前記メインコンデンサを前記トレー部との間に抱えた状態に弾性的に保持する弾性保持部とを備えていることを特徴とするカメラ。
【請求項２】
前記弾性保持部は、前部に前記メインコンデンサを挿入可能な開放部が形成された一対の円弧状弾性片で構成されていることを特徴とする請求項１記載のカメラ。
【請求項３】
前記トレー部の後面には、前記回路基板に当接する脚部が突出され、該脚部に前記メインコンデンサの端面から引き出され途中で略Ｌ字形に折曲されたリード端子を前記回路基板まで通すためのリード挿通孔が形成されていることを特徴とする請求項１記載のカメラ。
【請求項４】
前記トレー部は、前記リード挿通孔と反対側の底部が開放された樋状体であることを特徴とする請求項１記載のカメラ。
【発明の詳細な説明】
【０００１】
【発明の属する技術分野】
本発明は、回路基板に閃光発光装置用のメインコンデンサを実装するためのコンデンサ保持機構を備えたカメラに関する。
【０００２】
【従来の技術】
一般に、カメラの閃光発光装置は、電源電流を昇圧してメインコンデンサに充電し、シャッタ動作で放電管を放電させて閃光を得るようにしている。メインコンデンサは回路基板に実装するする必要があるため、種々の保持機構が提案されている。
【０００３】
例えば、特開平８−９７０９０号公報には電解コンデンサのリード端子のＬ字形に折り曲げた部分を保持する保持部材が記載されている。
【０００４】
また、特開平８−１１５７９５号公報には、カメラの電子閃光装置において、温度ヒューズをバネ性の保持部材で押圧保持する構成が記載されている。
【０００５】
また、特開２０００−３２７２６４号公報には、コンデンサ等の部品保持部材を圧板の背面側におけるアパーチャに略対向する範囲に設置した構成が記載されている。
【０００６】
さらにまた、特開平２００１−５０６２号公報には、半円筒形状のトレイを有するコンデンサ保持部材の構成が開示されている。
【０００７】
【発明が解決しようとする課題】
カメラのメインコンデンサは、充分な光量を得るため比較的大容量で外形も大型のものが使用されることが多い。このため、カメラセットの落下衝撃等が発生すると、メインコンデンサに衝撃が加わり、メインコンデンサに性能変動を生じやすい。上記の各従来技術ではこのようなメインコンデンサへの衝撃の緩和については配慮されていない。
【０００８】
また、メインコンデンサのリード端子を回路基板にはんだ付けする場合は、回路基板を上向きに反転するためメインコンデンサは下側になる。上記特開平２００１−５０６２号公報の保持部材では、メインコンデンサを固定するものがないため、回路基板の反転時メインコンデンサが保持部材から脱落することがある。また、カメラに衝撃が加わったとき、メインコンデンサが保持部材から飛び出してカメラの本体部等に当たり、衝撃を受けやすいという問題もある。
【０００９】
本発明は、上記事情に鑑み、メインコンデンサへの衝撃が緩和できると共に、はんだ付け時に回路基板を反転してもメインコンデンサが脱落することがが防止されたコンデンサ保持機構を備えたカメラを提供することを目的とする。
【００１０】
【課題を解決するための手段】
上記目的を達成する本発明のカメラは、所定のメインコンデンサに電力を蓄積し、該メインコンデンサに蓄積した電力を放出することにより被写体に向けて閃光を発する閃光発光装置を備えた、被写体の撮影を行うカメラにおいて、前記閃光発光装置は、回路基板に前記メインコンデンサを接続するためのコンデンサ保持機構を備え、前記コンデンサ保持機構は、前記メインコンデンサの外周の一部を覆う前部開放のトレー部と、該トレー部に一体的に形成されて前方に延び、前記メインコンデンサを前記トレー部との間に抱えた状態に弾性的に保持する弾性保持部とを備えていることを特徴とする。
【００１１】
本発明のカメラは、トレー部に一体的に形成した弾性保持部でメインコンデンサを弾性的に保持するため、カメラ落下等による衝撃があった場合、弾性保持部がメインコンデンサに対する緩衝の機能をはたし、メインコンデンサの損傷や性能変動を防止すると共に、回路基板のはんだ付け作業の際に回路基板を反転させても、弾性保持部の保持作用でメインコンデンサが弾性保持部から脱落することが防止される。
【００１２】
前記弾性保持部は、前部に前記メインコンデンサを挿入可能な開放部が形成された一対の円弧状弾性片で構成されていることが好ましい。これにより、この開放部からワンタッチでメインコンデンサを挿入でき、メインコンデンサの組付け作業性が向上する。
【００１３】
前記トレー部の後面には、前記回路基板に当接する脚部が突出され、該脚部に前記メインコンデンサの端面から引き出され途中で略Ｌ字形に折曲されたリード端子を前記回路基板まで通すためのリード挿通孔が形成されていることが好ましい。これにより、メインコンデンサを弾性保持部内に装着すると同時にリード端子をリード挿通孔に通すことができ、かつ、リード端子が脚部で係止されるため、メインコンデンサは弾性保持部のほか脚部の部分でも保持され、確実な保持ができる。
【００１４】
前記トレー部は、前記リード挿通孔と反対側の底部が開放された樋状体であることが好ましい。これにより、メインコンデンサのサイズに多少のばらつきがあっても支障なくコンデンサ保持機構に装着可能である。
【００１５】
【発明の実施の形態】
以下、本発明の実施形態について説明する。
【００１６】
図１は、本発明のカメラの斜視図、図２は閃光発光装置の主要部の分解斜視図、図３は回路基板へ組付けた状態の斜視図、図４はコンデンサ保持機構の正面図である。
【００１７】
図１において、カメラＡは、撮像レンズ２０、ＣＣＤ撮像素子２１、
ファインダ２２、シャッタボタン２３、及び閃光発光装置の発光部２４を備えている。シャッタボタン２３を押すことにより発光部２４で発光し、被写体は撮像レンズ２０によりその奥に備えたＣＣＤ撮像素子２１に結像されて画像データに変換され、図示しない画像記録媒体に記録される。
【００１８】
図２において、閃光発光装置Ｂは、回路基板１、ボディ２、及びメインコンデンサ３を備えている。ボディ２は、放電管取付部４と、この放電管取付部４の側部に一体に形成された電池取付部５と、放電管取付部４の下部に一体に形成されたコンデンサ保持機構６とで概略構成されたものであって、全体が合成樹脂で成形されている。放電管取付部４の取付けられた放電管（図示せず）は上記発光部２３で発光するようになっている。
【００１９】
コンデンサ保持機構６は、トレー部７と、このトレー部７の上端部の後面に突出された一対の脚部８，８と、トレー部７の下端部に一体に形成されたばね性を持つ弾性保持部９とを備えている。
【００２０】
トレー部７はメインコンデンサ３の外周に密接して外周の後部の一部を覆う樋状体であり、この樋状体の下部は開放された形状である。このトレー部７の上端部後面に一対の脚部８が突出され、この脚部８にはリード挿通孔１０が形成されている。回路基板１にはこのリード挿通孔１０に対応する位置にリード孔１８が形成され、このリード孔１８に通されたリード端子１５を回路基板１の裏面ではんだ付けするようになっている。
【００２１】
弾性保持部９はトレー部７の下端部の両側に突出され、トレー部７と同一円中心をなすような一対の円弧状弾性片９ａで構成されている。この円弧状弾性片９ａ、９ａの前部、すなわち、円弧状弾性片９ａの両先端の間には、メインコンデンサ３を挿入できる開放部９ａが設けられている。
【００２２】
図１に示すように、上記ボディ２の後面にはねじ孔１１が数箇所に形成され、回路基板１にはこのねじ孔１１に対応するする位置に透孔１２が形成されている。また、ボディ２の後面には位置決めピン１３が数箇所に突出され、回路基板１にはこの位置決めピン１３に対応するする位置に位置決め孔１４が形成されている。なお、ボディ２の後面には数箇所にストッパピン１７が突出されている。
【００２３】
メインコンデンサ３の一端には、リード端子１５が設けられている。このリード端子１５は途中で略直角に折曲された折曲部分１５ａが形成されている。
【００２４】
図２に示すように、回路基板１にボディ２が組付けられ、コンデンサ保持機構６にはメインコンデンサ３が組付けられる。組付けに際して、位置決めピン１３を位置決め孔１４に挿入して位置決めを行う。これにより、ねじ孔１１と透孔１２が合致し、透孔１２からねじ孔１１にビス１６をねじ込んでボディ２を回路基板１に固定する。また、リード挿通孔１０とリード孔１８が合致する。なお、ストッパピン１７は回路基板１に当接し、ボディ２と回路基板１は略平行を保つようになっている。
【００２５】
次いで、図３に示すように、メインコンデンサ２をコンデンサ保持機構６に装着する。すなわち、メインコンデンサ３のリード端子１５の折曲部１５ａをリード挿通孔１０に合わせると共に、メインコンデンサ３を弾性保持部９の開放部９ａにあてがって押し込む。弾性保持部９が変形しながらメインコンデンサ３は弾性保持部９の内側に入り込み、トレー部７に密接する。これにより、メインコンデンサ３は弾性保持部９でトレー部７に弾性的に押付けられた状態で弾性的に保持される。また、リード端子１５の折曲部１５ａはリード挿通孔１０から回路基板１のリード孔１８を通って回路基板１の裏面に少し突出する。この突出部分は後工程で回路基板１にはんだ付けされる。
【００２６】
本実施形態は、上記のようにトレー部７に一体的に形成した弾性保持部９でメインコンデンサ３を弾性的に保持するので、カメラ落下等による衝撃があっても弾性保持部９がメインコンデンサ３に対する緩衝の機能をはたし、メインコンデンサ３の性能部変動や損傷を防止できる。また、回路基板１のはんだ付け作業の際は回路基板１の後面を上向きに反転させるが、このとき弾性保持部９でメインコンデンサ３を保持しているため、メインコンデンサ３が弾性保持部９から脱落することが防止される。
【００２７】
また、弾性保持部９は、円弧状弾性片９ａ、９ａの前部を開放部９ｂとした構造であるので、この開放部９ｂからワンタッチでメインコンデンサ３を挿入でき、組付け作業性が向上する。
【００２８】
また、トレー部７の上部後面には回路基板１に当接する脚部８が突出され、この脚部８にリード挿通孔１０を形成しているので、メインコンデンサ３を弾性保持部９内に装着すると同時にリード端子１５の折曲部１５ａをリード挿通孔１０に通すことができ、かつ、この折曲部１５ａが脚部８で係止されるため、メインコンデンサ３は弾性保持部９と脚部品８の両部位で保持され、確実な保持が可能となる。
【００２９】
さらにまた、トレー部７は、樋状体の底部（弾性保持部９の下方）を開放した構造であるので、メインコンデンサ３の長さサイズに多少のばらつきがあっても支障なくコンデンサ保持機構６に装着可能である。
【００３０】
尚、ここでは、ＣＣＤ撮像素子を備え、そのＣＣＤ撮像素子により画像データを得る電子カメラについて説明したが、本発明は電子カメラに限られるものではなく、銀塩ロールフィルム上に写真撮影を行うカメラや、シート状のインスタント写真フィルム上に写真撮影を行うインスタントカメラ等、被写体の写真撮影を行うカメラ一般に適用可能である。
【００３１】
【発明の効果】
以上、説明したように、本発明によれば、カメラ落下等による衝撃があった場合、弾性保持部がメインコンデンサに対する緩衝の機能をはたし、メインコンデンサの変形、損傷を防止すると共に、回路基板のはんだ付け作業の際に回路基板を反転させても、弾性保持部でメインコンデンサを保持し、メインコンデンサが弾性保持部から脱落することが防止されるため組付け作業性が向上する。
【図面の簡単な説明】
【図１】本発明のカメラの外観斜視図である。
【図２】本発明のカメラの閃光発光装置部分の分解斜視図である。
【図３】回路基板へ組付けた状態の斜視図である。
【図４】コンデンサ保持機構の正面図である。
【符号の説明】
１　　回路基板
３　　メインコンデンサ
６　　コンデンサ保持機構
７　　トレー部
８　　脚部
９　　弾性保持部
９ａ　円弧状弾性片
９ｂ　　開放部
１０　　リード挿通孔
１５　　リード端子
２４　　発光部
Ａ　　カメラ
Ｂ　　閃光発光装置
【図１】
2004053634.tif 000003
【図２】
2004053634.tif 000004
【図３】
2004053634.tif 000005
【図４】
2004053634.tif 000006